(57)【要約】【課題】複数のコンタクトが配されたハウジングに配線板状部材が差し込まれるコネクタ装置であって、配線板状部材のハウジングにおける板状部材差込み部への挿入が、複数のコンタクトの基板接続部によって阻止されることなく円滑に行われるものを提供する。【解決手段】複数のコンタクト（１４）が夫々有する複数の基板接続部（１４a)が、ハウジング（１１）の正面側端部（１１ａ）に設けられた板状部材差込み部（１３）に臨む位置に配されるもとで、ハウジングの底板部（１１ｃ）に、ハウジングの正面側端部の外方に複数の基板接続部を越えて突出して、板状部材差込み部を通じてハウジングに差し込まれる配線板状部材を、曲面もしくは傾斜平面を成す端面部（１６ａ，１６ｂ）をもって案内する複数の突出案内部（１６Ａ，１６Ｂ）が設けられる。【選択図】図１
2014072124.tif 000002
【特許請求の範囲】
【請求項１】
一対の相互対向側端部のうちの一方に板状部材差込み部が設けられ、平板状部の外面が配線基板に対接せしめられて該配線基板に取り付けられるハウジングと、各々が上記ハウジングの平板状部上に載置される部分及び上記配線基板に接続される基板接続部を有して上記ハウジングに交互に配列配置され、上記板状部材差込み部を通じて上記ハウジングに差し込まれた配線板状部材における複数の接触端子部に接触接続される複数の第１のコンタクト及び複数の第２のコンタクトとを備え、
上記複数の第１のコンタクトが夫々有する複数の基板接続部が上記ハウジングの一対の相互対向側端部のうちの一方側における上記板状部材差込み部に臨む位置に配されるとともに、上記複数の第２のコンタクトが夫々有する複数の基板接続部が上記ハウジングの一対の相互対向側端部のうちの他方側に配されて成り、
上記ハウジングの平板状部に、上記ハウジングの一対の相互対向側端部のうちの一方の外方に上記複数の基板接続部を越えて突出して、上記板状部材差込み部を通じて上記ハウジングに差し込まれる配線板状部材を曲面もしくは傾斜平面を成す端面部をもって案内する突出案内部が複数個設けられたことを特徴とするコネクタ装置。
【請求項２】
上記突出案内部の複数個が、上記複数の基板接続部の夫々もしくは少なくとも一つを挟んで対向する対を含むことを特徴とする請求項１記載のコネクタ装置。
【請求項３】
上記突出案内部の複数個が、上記ハウジングにおける上記複数の第１のコンタクト及び複数の第２のコンタクトの配列方向の両端部に位置することを特徴とする請求項１記載のコネクタ装置。
【請求項４】
上記突出案内部の複数個が、上記ハウジングにおける上記複数の第１のコンタクト及び複数の第２のコンタクトの配列方向の両端部と該両端部の中間部とに位置することを特徴とする請求項１記載のコネクタ装置。
【請求項５】
上記突出案内部における上記端面部が、上記ハウジングの平板状部の外面が対接せしめられた配線基板の面もしくは該面の近傍から上記ハウジングにおける上記板状部材差込み部に至る案内路を形成することを特徴とする請求項１記載のコネクタ装置。
【発明の詳細な説明】
【技術分野】
【０００１】
本願の特許請求の範囲に記載された発明は、フレキシブル印刷配線基板（ＦＰＣ）等の配線板状部材が差し込まれるハウジングと、ハウジングに配列配置されてハウジングに差し込まれた配線板状部材における接触端子部に接触接続されるコンタクトとを備えたコネクタ装置に関する。
【背景技術】
【０００２】
各種の電子機器に実装される比較的小型なフレキシブル印刷配線基板等の配線板状部材にあっては、種々の電気部品が取り付けられる主配線基板への取付けが、当該主配線基板に電気的接続がなされて固定されるコネクタ装置が用いられて行われることが多い。このような配線板状部材の主配線基板への取付けにあたって用いられるコネクタ装置は、配線板状部材が差し込まれる絶縁材料によって形成されたハウジングと、ハウジングに配列配置されてハウジングに差し込まれた配線板状部材における接触端子部に接触接続される導電性のコンタクトとを有していて、そのコンタクトを介して、配線板状部材に設けられた接触端子部を主配線基板に設けられた配線端子に電気的に連結する。
【０００３】
従来提案されているコネクタ装置のハウジングに差し込まれる配線板状部材を成すフレキシブル印刷配線基板は、例えば、各々が導電材料によって形成された複数の第１の接触端子部と複数の第２の接触端子部とが交互に配列配置された平板状部を有するものとされている。このようなフレキシブル印刷配線基板における複数の第１の接触端子部及び複数の第２の接触端子部の配列方向（以下、端子配列方向という。）は、コネクタ装置のハウジングに対するフレキシブル印刷配線基板の差込み方向に実質的に直交する方向とされる。
【０００４】
斯かるフレキシブル印刷配線基板において、複数の第１の接触端子部の夫々は、コネクタ装置のコンタクトが押圧接触する広幅部を有しており、また、複数の第２の接触端子部の夫々も、コネクタ装置のコンタクトが押圧接触する広幅部を有している。そして、第１の接触端子部の広幅部と第２の接触端子部の広幅部とは、コネクタ装置のハウジングに対するフレキシブル印刷配線基板の差込み方向の位置を異にするものとされている。例えば、第１の接触端子部の広幅部より第２の接触端子部の広幅部の方が、フレキシブル印刷配線基板における平板状部の端子配列方向に沿って伸びる端縁部分に近接した位置に配される。それにより、フレキシブル印刷配線基板上において、複数の第１及び第２の接触端子部の相互間隔を比較的小としたもとで、複数の広幅部の夫々が端子配列方向の幅寸法を比較的大とすることができ、コネクタ装置のコンタクトの押圧接触が確実に行われ得るようにされている。
【０００５】
上述のような複数の第１の接触端子部と複数の第２の接触端子部とが配列配置されたフレキシブル印刷配線基板とされる配線板状部材を、主配線基板に取り付けるにあたって用いられる従来提案されているコネクタ装置は、配線板状部材を成すフレキシブル印刷配線基板が差し込まれる差込み部を形成するものとされて主配線基板に配されるハウジングを有しており、そのハウジングに配列配置されて設けられて、主配線基板に設けられた配線端子に連結され、差込み部を通じてハウジングに差し込まれたフレキシブル印刷配線基板における複数の第１の接触端子部と複数の第２の接触端子部とに夫々接触接続される複数の第１のコンタクトと複数の第２のコンタクトとを備えている。これらの複数の第１のコンタクト及び複数の第２のコンタクトの配列方向（以下、コンタクト配列方向という。）も、コネクタ装置のハウジングに対するフレキシブル印刷配線基板の差込み方向に実質的に直交する方向とされる（例えば、特許文献１参照。）。
【０００６】
特許文献１に示されるコネクタ装置（コネクタ(10)) にあっては、絶縁材料により形成されて主配線基板に配されるハウジング(12)を備えていて、そのハウジングにおける一対の相互対向側端部の一方に、配線板状部材を成すフレキシブル印刷配線基板(FPC(40)) が差し込まれる差込み部（嵌合口(18)) が形成されており、さらに、ハウジングには、複数の第１のコンタクト（第二コンタクト(141))と複数の第２のコンタクト（第一コンタクト(14)) とが、交互に配列配置されている。これら複数の第１のコンタクト及び複数の第２のコンタクトは、それらの夫々が金属材料により形成されて略Ｈ形状を成すものとされたもとで、ハウジングに対するフレキシブル印刷配線基板の差込み方向に直交する方向に沿って配列されている。
【０００７】
斯かるもとで、複数の第１のコンタクトの夫々は、フレキシブル印刷配線基板における第１の接触端子部に接触接続される接触部(22)とハウジングが配された主配線基板に接続される基板接続部（接続部(24)) とを備えており、また、複数の第２のコンタクトの夫々は、フレキシブル印刷配線基板における第２の接触端子部に接触接続される接触部(22)とハウジングが配された主配線基板に接続される基板接続部（接続部(24)) とを備えている。そして、複数の第１のコンタクトの夫々が備える基板接続部が、ハウジングにおける一対の相互対向側端部の一方側に配されて、フレキシブル印刷配線基板が差し込まれる差込み部に臨む位置におかれ、一方、複数の第２のコンタクトの夫々が備える基板接続部は、ハウジングにおける一対の相互対向側端部の他方側に配される。
【０００８】
それにより、複数の第１のコンタクトが夫々備える複数の基板接続部は、ハウジングにおける一対の相互対向側端部の一方に形成されてフレキシブル印刷配線基板が差し込まれる差込み部の入口に、コンタクト配列方向に沿って配列されていることになる。
【０００９】
このように、複数の第１のコンタクトの夫々が備える基板接続部が、ハウジングにおける一対の相互対向側端部の一方側に配され、複数の第２のコンタクトの夫々が備える基板接続部は、ハウジングにおける一対の相互対向側端部の他方側に配されることにより、複数の第１のコンタクトが、ハウジングにおける一対の相互対向側端部の一方側において、ハウジングが配された主配線基板に、例えば、各々の基板接続部に半田付けが施されることにより接続されるとともに、複数の第２のコンタクトが、ハウジングにおける一対の相互対向側端部の他方側において、ハウジングが配された主配線基板に、例えば、各々の基板接続部に半田付けが施されることにより接続される。それにより、複数の第１及び第２のコンタクトがハウジングが配された配線基板に接続されるにあたり、複数の第１及び第２のコンタクトのコンタクト配列方向における相互間隔が比較的狭いものとされたもとにあっても、第１のコンタクトと第２のコンタクトとが不所望に相互接触されてしまう事態が回避される。
【００１０】
上述のような特許文献１に示されるコネクタ装置において、配線板状部材を成すフレキシブル印刷配線基板が差込み部を通じてハウジングに差し込まれると、自動的に、ハウジングに配列配置された複数の第１のコンタクトの夫々が備える接触部２２がフレキシブル印刷配線基板における第１の接触端子部に接触接続されるとともに、ハウジングに配列配置された複数の第２のコンタクトの夫々が備える接触部(22)がフレキシブル印刷配線基板における第２の接触端子部に接触接続される。それにより、フレキシブル印刷配線基板が差込み部を通じてハウジングに適正に差し込まれるだけで、フレキシブル印刷配線基板についてのハウジングが配された主配線基板との複数の第１及び第２のコンタクトを介した電気的連結状態が得られることになる。斯かる際、差込み部を通じてハウジングに差し込まれるフレキシブル印刷配線基板は、ハウジングにおける差込み部の入口にコンタクト配列方向に沿って配列された複数の第１のコンタクトが夫々備える複数の基板接続部による接触案内を受け、ハウジングが配された主配線基板の面に対して実質的に平行となる状態をとるものとされる。
【先行技術文献】
【特許文献】
【００１１】
【特許文献１】特許第４０７３７６６号公報（段落００１２〜００１９及び００２３，図１〜３）
【発明の概要】
【発明が解決しようとする課題】
【００１２】
前述のような、ハウジングにおける一対の相互対向側端部の一方に配線板状部材を成すフレキシブル印刷配線基板が差し込まれる差込み部が形成されたもとで、ハウジングに複数の第１のコンタクトと複数の第２のコンタクトとが、ハウジングに対するフレキシブル印刷配線基板の差込み方向に直交する方向をもって交互に配列配置され、複数の第１のコンタクトの夫々が備える基板接続部が、ハウジングにおける一対の相互対向側端部の一方側に配されて差込み部に臨む位置におかれるとともに、複数の第２のコンタクトの夫々が備える基板接続部が、ハウジングにおける一対の相互対向側端部の他方側に配されるものとされた、フレキシブル印刷配線基板の主配線基板への取付けに用いられるコネクタ装置として従来提案されているものにあっては、差込み部を通じてハウジングに差し込まれるフレキシブル印刷配線基板が、ハウジングにおける差込み部の入口にコンタクト配列方向に沿って配列された複数の第１のコンタクトが夫々備える複数の基板接続部による接触案内を受けるものとされる。
【００１３】
このようなもとで、従来提案されているコネクタ装置が用いられる場合には、複数の第１のコンタクトの各々は金属材料により形成されているので、斯かる金属材料により形成された第１のコンタクトが備える基板接続部による接触案内を受けるフレキシブル印刷配線基板が、その第１のコンタクトが備える基板接続部に当接する面に、当該基板接続部に対して摺動することに起因する損傷を受けることになってしまうという不都合がもたらされる虞がある。
【００１４】
また、フレキシブル印刷配線基板の差込み部を通じたハウジングへの差込みにあたり、フレキシブル印刷配線基板が、ハウジングが配された主配線基板の面に対して傾斜した状態をもって、ハウジングにおける一対の相互対向側端部の一方に形成された差込み部に挿入されようとすると、フレキシブル印刷配線基板における複数の第１及び第２の接触端子部が交互に配列配置された平板状部の先端部分が、ハウジングにおける差込み部の入口にコンタクト配列方向に沿って配列された複数の第１のコンタクトが夫々備える複数の基板接続部に当接し、それによってフレキシブル印刷配線基板のハウジングにおける差込み部への挿入が阻止されてしまう、あるいは、妨害を受けて円滑に行われなくなってしまうという不都合がもたらされる虞もある。
【００１５】
斯かる点に鑑み、本願の特許請求の範囲に記載された発明は、フレキシブル印刷配線基板等とされる配線板状部材の主配線基板への取付けに用いられる、ハウジングにおける一対の相互対向側端部の一方に配線板状部材が差し込まれる板状部材差込み部が形成されたもとで、ハウジングに複数の第１のコンタクトと複数の第２のコンタクトとが、ハウジングに対する配線板状部材の差込み方向に直交する方向をもって交互に配列配置され、複数の第１のコンタクトの夫々が備える基板接続部が、ハウジングにおける一対の相互対向側端部の一方側に配されて板状部材差込み部に臨む位置におかれるとともに、複数の第２のコンタクトの夫々が備える基板接続部がハウジングにおける一対の相互対向側端部の他方側に配されるものとされたコネクタ装置であって、板状部材差込み部を通じてハウジングに差し込まれる配線板状部材が、複数の第１のコンタクトの夫々が備える基板接続部に対して摺動することに起因する損傷を受ける事態が回避され、さらには、配線板状部材のハウジングにおける板状部材差込み部への挿入が、複数の第１のコンタクトの夫々が備える基板接続部によって阻止されることなく、かつ、妨害を受けることなく円滑に行われることになるものを提供する。
【課題を解決するための手段】
【００１６】
本願の特許請求の範囲における請求項１から請求項５までのいずれかに記載された発明（以下、本発明という。）に係るコネクタ装置は、一対の相互対向側端部のうちの一方に板状部材差込み部が設けられ、平板状部の外面が配線基板に対接せしめられて当該配線基板に取り付けられるハウジングと、各々がハウジングの平板状部上に載置される部分及び配線基板に接続される基板接続部を有してハウジングに交互に配列配置され、板状部材差込み部を通じてハウジングに差し込まれた配線板状部材における複数の接触端子部に接触接続される複数の第１のコンタクト及び複数の第２のコンタクトとを備え、複数の第１のコンタクトが夫々有する複数の基板接続部がハウジングの一対の相互対向側端部のうちの一方側における板状部材差込み部に臨む位置に配されるとともに、複数の第２のコンタクトが夫々有する複数の基板接続部がハウジングの一対の相互対向側端部のうちの他方側に配されて成るものとされたもとで、ハウジングの平板状部に、そのハウジングの一対の相互対向側端部のうちの一方の外方に複数の第１のコンタクトが夫々有する複数の基板接続部を越えて突出して、板状部材差込み部を通じてハウジングに差し込まれることになる配線板状部材を、曲面もしくは傾斜平面を成す端面部をもって板状部材差込み部へと案内する突出案内部が複数個設けられたことを特徴とするものとされる。
【００１７】
ハウジングの平板状部から突出する複数の突出案内部は、例えば、複数の第１のコンタクトが有する複数の基板接続部の夫々もしくは少なくとも一つを挟んで対向する対を含むもの，ハウジングにおける複数の第１のコンタクト及び複数の第２のコンタクトの配列方向の両端部に位置するもの、あるいは、ハウジングにおける複数の第１のコンタクト及び複数の第２のコンタクトの配列方向の両端部とそれら両端部の中間部とに位置するものとされる。
【００１８】
さらに、複数の突出案内部の夫々における端面部は、例えば、ハウジングの平板状部の外面が対接せしめられた配線基板の面もしくはその面の近傍からハウジングにおける板状部材差込み部に至る案内路を形成するものとされる。
【００１９】
上述のような本発明に係るコネクタ装置にあっては、配線板状部材が、ハウジングにそれに設けられた板状部材差込み部を通じて差し込まれるべく、例えば、配線板状部材におけるハウジングへの差込み方向の先端部分が板状部材差込み部に近接せしめられたとき、その先端部分が、ハウジングの平板状部から板状部材差込み部が設けられたハウジングの側端部の外方に第１のコンタクトが有する基板接続部を越えて突出する突出案内部における端面部に当接し、当該端面部が成す曲面もしくは傾斜平面によって板状部材差込み部へと案内されて板状部材差込み部に挿入される。その後、板状部材差込み部を通じてハウジングに差し込まれていく配線板状部材は、その姿勢に応じて、ハウジングの平板状部側の面が突出案内部における曲面もしくは傾斜平面を成す端面部に接触する状態をもって、ハウジング内の所定の位置まで差し込まれる。
【００２０】
このようにして、配線板状部材におけるハウジングへの差込み方向の先端部分が、ハウジングの平板状部から板状部材差込み部が設けられたハウジングの側端部の外方に第１のコンタクトが有する基板接続部を越えて突出する突出案内部における端面部に当接し、当該端面部が成す曲面もしくは傾斜平面によって板状部材差込み部へと案内されて板状部材差込み部に挿入される状態は、配線板状部材が、ハウジングが平板状部の外面を対接させて取り付けられた配線基板の面に対して傾斜した状態をもって板状部材差込み部に挿入されようとするもとにおいても得られる。それにより、配線基板の面に対して傾斜した状態をもって板状部材差込み部に近接せしめられた配線板状部材も、第１のコンタクトが有する基板接続部に当接することなく、突出案内部における端面部に当接して板状部材差込み部へと案内される。
【００２１】
そして、板状部材差込み部を通じてハウジングに差し込まれた配線板状部材が、ハウジング内の所定の位置に到達すると、各々がハウジングの平板状部上に載置される部分及び配線基板に接続される基板接続部を有してハウジングに交互に配列配置された複数の第１のコンタクト及び複数の第２のコンタクトが、配線板状部材における複数の接触端子部に夫々接触接続される状態がとられる。それにより、配線板状部材における複数の接触端子部が、複数の第１のコンタクト及び複数の第２のコンタクトを介して、ハウジングが平板状部の外面を対接させて取り付けられた配線基板に電気的に連結される。
【発明の効果】
【００２２】
本発明に係るコネクタ装置においては、上述のように、ハウジングの平板状部に、ハウジングにおける板状部材差込み部が設けられた側端部のうちの一方の外方に、複数の第１のコンタクトが夫々有する複数の基板接続部を越えて突出して、板状部材差込み部を通じてハウジングに差し込まれることになる配線板状部材を、曲面もしくは傾斜平面を成す端面部をもって板状部材差込み部へと案内する突出案内部が複数個設けられていて、配線板状部材が、ハウジングにそれに設けられた板状部材差込み部を通じて差し込まれるべく、板状部材差込み部に近接せしめられたとき、突出案内部における端面部に当接し、当該端面部が成す曲面もしくは傾斜平面によって板状部材差込み部へと案内されて板状部材差込み部に挿入される。それにより、板状部材差込み部を通じてハウジングに差し込まれる配線板状部材が、複数の第１のコンタクトの夫々が備える基板接続部に対して摺動することに起因する損傷を受ける事態を回避することができる。
【００２３】
また、本発明に係るコネクタ装置によれば、配線板状部材が、ハウジングが平板状部の外面を対接させて取り付けられた配線基板の面に対して傾斜した状態をもって板状部材差込み部に挿入されようとする場合も含めて、第１のコンタクトが有する基板接続部に当接することなく、突出案内部における端面部に当接して板状部材差込み部へと案内されるので、配線板状部材のハウジングにおける板状部材差込み部への挿入が、複数の第１のコンタクトの夫々が備える基板接続部によって阻止されることなく、かつ、妨害を受けることなく円滑に行われる状態を得ることができる。
【００２４】
特に、ハウジングの平板状部から突出する複数の突出案内部が、複数の第１のコンタクトが有する複数の基板接続部の夫々もしくは少なくとも一つを挟んで対向する対を含むもの，ハウジングにおける複数の第１のコンタクト及び複数の第２のコンタクトの配列方向の両端部に位置するもの、あるいは、ハウジングにおける複数の第１のコンタクト及び複数の第２のコンタクトの配列方向の両端部とそれら両端部の中間部とに位置するものとされるもとにあっては、突出案内部における曲面もしくは傾斜平面を成す端面部による配線板状部材の板状部材差込み部への案内が、より一層確実かつ円滑に行われることになる。
【００２５】
さらに、複数の突出案内部の夫々における端面部が、ハウジングの平板状部の外面が対接せしめられた配線基板の面もしくはその面の近傍からハウジングにおける板状部材差込み部に至る案内路を形成するものとされるもとにあっては、配線板状部材におけるハウジングへの差込み方向の先端部分が、配線基板の面に近接した位置において板状部材差込み部に近接せしめられる場合においても、突出案内部における端面部による配線板状部材の板状部材差込み部への案内が円滑に行われることになる。
【図面の簡単な説明】
【００２６】
【図１】本発明に係るコネクタ装置の一例をそれに差込み係合せしめられる配線板状部材とされるフレキシブル印刷配線基板と共に示す斜視図である。
【図２】本発明に係るコネクタ装置の一例を示す平面図である。
【図３】本発明に係るコネクタ装置の一例を示す正面図である。
【図４】本発明に係るコネクタ装置の一例を示す底面図である。
【図５】本発明に係るコネクタ装置の一例にフレキシブル印刷配線基板が差込み係合された状態を示す斜視図である。
【図６】図３におけるVI−VI線断面を示す断面図である。
【図７】図３における VII−VII 線断面を示す断面図である。
【図８】図３におけるVIII−VIII線断面を示す断面図である。
【図９】本発明に係るコネクタ装置の一例に対してフレキシブル印刷配線基板の差込み係合がなされる状態を示す断面図である。
【図１０】本発明に係るコネクタ装置の他の例を示す上面側から見た斜視図である。
【図１１】本発明に係るコネクタ装置の他の例を示す底面側から見た斜視図である。
【発明を実施するための形態】
【００２７】
本発明を実施するための形態は、以下に述べられる本発明についての実施例をもって説明される。
【実施例１】
【００２８】
図１は、配線基板に装着された本発明に係るコネクタ装置の一例とそれに差込み係合せしめられる配線板状部材の一例とを示す。また、図２（平面図）及び図３（正面図）は、配線基板に装着された本発明に係るコネクタ装置の一例を示し、さらに、図４（底面図）は、本発明に係るコネクタ装置の一例を単独で示す。
【００２９】
図１〜図４において、本発明に係るコネクタ装置の一例を成すコネクタ装置１０は、合成樹脂等の絶縁材料によって形成されたハウジング１１を備えている。ハウジング１１は、面１２ａを有した配線基板１２にその面１２ａ上に配された状態をもって取り付けられ、それにより、コネクタ装置１０が配線基板１２に装着されたものとされる。その際、ハウジング１１における一対の相互対向側端部である正面側端部１１ａと背面側端部１１ｂとに挟まれた一対の相互対向平板状部のうちの一方が配線基板１２の面１２ａに対接する外面を有するものとされて、一対の相互対向平板状部のうちの他方が解放された外面を有するものとされる。以下においては、配線基板１２の面１２ａに対接する外面を有した相互対向平板状部のうちの一方を底板部１１ｃという。なお、底板部１１ｃに対向する解放された外面を有した相互対向平板状部は天板部１１ｄを成している。斯かるもとでは、ハウジング１１の底板部１１ｃは、ハウジング１１における平板状部であって、その外面が配線基板１２に、より詳細には、配線基板１２の面１２ａに、対接するものとされていることになる。
【００３０】
ハウジング１１には、一対の相互対向側端部である正面側端部１１ａと背面側端部１１ｂとのうちの正面側端部１１ａに、配線板状部材が挿入される板状部材差込み部１３が設けられており、板状部材差込み部１３からハウジング１１の内部へと板状部材収容空間が伸びている。即ち、板状部材差込み部１３は、ハウジング１１の正面側端部１１ａにおいて開口しているのである。
【００３１】
また、ハウジング１１には、各々がハウジング１１の正面側端部１１ａ側から背面側端部１１ｂ側へと伸びるものとされた複数の第１のコンタクト１４と複数の第２のコンタクト１５とが、ハウジング１１の長手方向（正面側端部１１ａに向かって左右方向）に沿って、交互に配列配置されて設けられている。複数の第１のコンタクト１４の夫々は、例えば、配線基板１２の面１２ａに設けられた接続端子に半田付けされることにより、配線基板１２に接続される基板接続部１４ａを有しており、また、複数の第２のコンタクト１５の夫々は、例えば、配線基板１２の面１２ａに設けられた接続端子に半田付けされることにより、配線基板１２に接続される基板接続部１５ａを有している。
【００３２】
複数の第１のコンタクト１４が夫々有する複数の基板接続部１４ａは、ハウジング１１の正面側端部１１ａ側における板状部材差込み部１３に臨む位置に配されたものとされ、また、複数の第２のコンタクト１５が夫々有する複数の基板接続部１５ａは、ハウジング１１の背面側端部１１ｂ側に配されたものとされる。それにより、ハウジング１１の正面側端部１１ａに設けられた板状部材差込み部１３の入口には、複数の第１のコンタクト１４が夫々有する複数の基板接続部１４ａが、ハウジング１１の長手方向に沿って配列配置されていることになる。
【００３３】
さらに、ハウジング１１の底板部１１ｃには、それから、ハウジング１１の正面側端部１１ａの外方に、複数の第１のコンタクト１４が夫々有する複数の基板接続部１４ａを越えて突出する複数の突出案内部１６Ａ及び１６Ｂが設けられている。複数の突出案内部１６Ａ及び１６Ｂのうちの突出案内部１６Ａは、複数の第１のコンタクト１４及び複数の第２のコンタクト１５の配列方向であるコンタクト配列方向に沿って配列配置されており、第１のコンタクト１４が有する基板接続部１４ａを挟んで対向する対を複数個含むものとされている。また、複数の突出案内部１６Ａ及び１６Ｂのうちの突出案内部１６Ｂは、ハウジング１１におけるコンタクト配列方向の両端部に位置するものとして一対配されている。一対の突出案内部１６Ｂの夫々のコンタクト配列方向の幅寸法は、複数の突出案内部１６Ａの夫々のコンタクト配列方向の幅寸法より大なるものに設定されている。
【００３４】
複数の突出案内部１６Ａ及び１６Ｂの各々は、板状部材差込み部１３を通じてハウジング１１に差し込まれることになる配線板状部材を板状部材差込み部１３へと案内する役割を果たす。斯かる複数の突出案内部１６Ａ及び１６Ｂの各々による配線板状部材の板状部材差込み部１３への案内は、複数の突出案内部１６Ａの夫々が有するコンタクト配列方向の幅を持った端面部１６ａ及び一対の突出案内部１６Ｂの夫々が有するコンタクト配列方向の幅を持った端面部１６ｂによって行われる。
【００３５】
このようなもとで、ハウジング１１の正面側端部１１ａに設けられた板状部材差込み部１３を通じて、配線板状部材の一例を成すフレキシブル印刷配線基板２０がハウジング１１に差し込まれる。フレキシブル印刷配線基板２０は、各々が導電材料によって形成された複数の第１の接触端子部２１と複数の第２の接触端子部２２とが交互に配列配置された平板状部２３を有している。以下においては、フレキシブル印刷配線基板２０の平板状部２３における第１及び第２の接触端子部２１及び２２の配列方向を、接触端子配列方向という。
【００３６】
複数の第１の接触端子部２１の夫々は、広幅先端部２１ａを有しており、また、複数の第２の接触端子部２２の夫々は、広幅先端部２２ａを有している。第１の接触端子部２１の広幅先端部２１ａと第２の接触端子部２２の広幅先端部２２ａとは、ハウジング１１に対するフレキシブル印刷配線基板２０の差込み方向の位置を異にするものとされている。即ち、フレキシブル印刷配線基板２０は、その平板状部２３の接触端子配列方向に沿って伸びる端縁部分を先頭にし、接触端子配列方向に対して直交する方向をもって、板状部材差込み部１３を通じてハウジング１１に差し込まれるが、第１の接触端子部２１の広幅先端部２１ａより第２の接触端子部２２の広幅先端部２２ａの方が、フレキシブル印刷配線基板２０の平板状部２３の端縁部分に近接した位置に配されている。それにより、複数の第１及び第２の接触端子部２１及び２２の相互間隔を比較的小としたもとで、複数の広幅先端部２１ａ及び２２ａの夫々が接触端子配列方向の幅寸法を比較的大とすることができるものとされている。
【００３７】
図５は、上述のようなフレキシブル印刷配線基板２０が、コネクタ装置１０のハウジング１１にその正面側端部１１ａに設けられた板状部材差込み部１３を通じて差し込まれて、コネクタ装置１０に差込み係合せしめられた状態を示す。斯かる際には、フレキシブル印刷配線基板２０における平板状部２３の接触端子配列方向に伸びる端縁部分が、コンタクト配列方向に沿うものとされる。即ち、端子配列方向がコンタクト配列方向に対して平行となるようにされるのである。
【００３８】
ハウジング１１に交互に配列配置された複数の第１及び第２のコンタクト１４及び１５のうちの複数の第１のコンタクト１４の夫々は、図３におけるVI−VI線断面をあらわす図６に示されるように、ハウジング１１の底板部１１ｃ上に載置される固定部２５と固定部２５から屈曲して伸びる可動片持ちビーム部２６とを有している。固定部２５には、ハウジング１１の正面側端部１１ａ側における板状部材差込み部１３に臨む位置に配された基板接続部１４ａが形成されており、さらに、基板接続部１４ａよりハウジング１１の内部側となる位置に、接触突起部２７が形成されている。また、可動片持ちビーム部２６には、ハウジング１１の正面側端部１１ａ側の先端部分に、固定部２５に形成された接触突起部２７に対向する接点部２８が形成されている。固定部２５に形成された接触突起部２７とそれに対向する可動片持ちビーム部２６に形成された接点部２８とは、板状部材差込み部１３からハウジング１１の内部へと伸びている板状部材収容空間内に位置するものとされる。そして、複数の第１のコンタクト１４の夫々は、例えば、図３に示されるハウジング１１の正面側端部１１ａ側から、ハウジング１１の内部へと押圧挿入されて固定される。
【００３９】
また、ハウジング１１に交互に配列配置された複数の第１及び第２のコンタクト１４及び１５のうちの複数の第２のコンタクト１５の夫々も、図３における VII−VII 線断面をあらわす図７に示されるように、ハウジング１１の底板部１１ｃ上に載置される固定部２９と固定部２９から屈曲して伸びる可動片持ちビーム部３０とを有している。固定部２９には、ハウジング１１の正面側端部１１ａに対向する背面側端部１１ｂ側に配された基板接続部１５ａが形成されており、さらに、ハウジング１１の正面側端部１１ａ側の先端部分よりハウジング１１の内部側となる位置に、接触突起部３１が形成されている。また、可動片持ちビーム部３０には、ハウジング１１の正面側端部１１ａ側の先端部分に、固定部２９に形成された接触突起部３１に対向する接点部３２が形成されている。固定部２９に形成された接触突起部３１とそれに対向する可動片持ちビーム部３０に形成された接点部３２とは、板状部材差込み部１３からハウジング１１の内部へと伸びている板状部材収容空間内に位置するものとされる。そして、複数の第２のコンタクト１５の夫々は、例えば、ハウジング１１の正面側端部１１ａに対向するハウジング１１の背面側端部１１ｂ側から、ハウジング１１の内部へと押圧挿入されて固定される。
【００４０】
上述のような複数の第１のコンタクト１４の夫々と複数の第２のコンタクト１５の夫々とは、第１のコンタクト１４における固定部２５に形成された接触突起部２７とそれに対向する可動片持ちビーム部２６の先端部分に形成された接点部２８との組と、第２のコンタクト１５における固定部２９に形成された接触突起部３１とそれに対向する可動片持ちビーム部３０の先端部分に形成された接点部３２との組とが、ハウジング１１内においてハウジング１１に対するフレキシブル印刷配線基板２０の差込み方向の位置を異にするものとされている。即ち、図６及び図７に示されるように、第１のコンタクト１４における固定部２５に形成された接触突起部２７とそれに対向する可動片持ちビーム部２６の先端部分に形成された接点部２８との組が、第２のコンタクト１５における固定部２９に形成された接触突起部３１とそれに対向する可動片持ちビーム部３０の先端部分に形成された接点部３２との組より、板状部材差込み部１３が設けられたハウジング１１の正面側端部１１ａに近接した位置に配されているのである。
【００４１】
そして、図５に示されるように、フレキシブル印刷配線基板２０が板状部材差込み部１３を通じてハウジング１１に差し込まれたときには、第１のコンタクト１４における固定部２５に形成された接触突起部２７とそれに対向する可動片持ちビーム部２６の先端部分に形成された接点部２８とが、ハウジング１１に差し込まれたフレキシブル印刷配線基板２０における平板状部２３にそれを挟むようにして当接し、接点部２８がそれに対応する第１の接触端子部２１の広幅先端部２１ａに当接接触するとともに、第２のコンタクト１５における固定部２９に形成された接触突起部３１とそれに対向する可動片持ちビーム部３０の先端部分に形成された接点部３２とが、ハウジング１１に差し込まれたフレキシブル印刷配線基板２０における平板状部２３にそれを挟むようにして当接し、接点部３２がそれに対応する第２の接触端子部２２の広幅先端部２２ａに当接接触する。それにより、複数の第１のコンタクト１４がフレキシブル印刷配線基板２０における複数の第１の接触端子部２１に夫々接触接続されるとともに、複数の第２のコンタクト１５がフレキシブル印刷配線基板２０における複数の第２の接触端子部２２に夫々接触接続される。その結果、ハウジング１１に差し込まれたフレキシブル印刷配線基板２０における複数の第１の接触端子部２１及び複数の第２の接触端子部２２が、複数の第１のコンタクト１４及び複数の第２のコンタクト１５を介して、ハウジング１１が配された配線基板１２に設けられた配線端子に電気的に連結される。
【００４２】
また、ハウジング１１における底板部１１ｃから、ハウジング１１の正面側端部１１ａの外方に、複数の第１のコンタクト１４が夫々有する複数の基板接続部１４ａを越えて突出する複数の突出案内部１６Ａ及び１６Ｂのうちの複数の突出案内部１６Ａの夫々は、図３におけるVIII−VIII線断面をあらわす図８に示されるように、その端面部１６ａが、曲面もしくは傾斜平面を成していて、ハウジング１１の底面部１１ｃの外面が対接せしめられた配線基板１２の面１２ａもしくはその近傍からハウジング１１における板状部材差込み部１３に至る案内路を形成するものとされている。同様に、複数の突出案内部１６Ａ及び１６Ｂのうちの、ハウジング１１におけるコンタクト配列方向の両端部に位置するものとされた一対の突出案内部１６Ｂも、図１に示されるように、その端面部１６ｂが、曲面もしくは傾斜平面を成していて、ハウジング１１の底面部１１ｃの外面が対接せしめられた配線基板１２の面１２ａもしくはその近傍からハウジング１１における板状部材差込み部１３に至る案内路を形成するものとされている。
【００４３】
上述のようなコネクタ装置１０にあっては、フレキシブル印刷配線基板２０が、ハウジング１１にその正面側端部１１ａに設けられた板状部材差込み部１３を通じて差し込まれるべく、フレキシブル印刷配線基板２０における平板状部２３の接触端子配列方向に伸びる端縁部分、即ち、ハウジング１１への差込み方向の先端部分が、板状部材差込み部１３に近接せしめられたとき、その先端部分が、ハウジング１１の底板部１１ｃから板状部材差込み部１３が設けられたハウジングの正面側端部１１ａの外方に第１のコンタクト１４が有する基板接続部１４ａを越えて突出する複数の突出案内部１６Ａ及び１６Ｂが夫々有する端面部１６ａ及び１６b に当接し、それらの端面部１６ａ及び１６ｂの各々が成す曲面もしくは傾斜平面によって板状部材差込み部１３へと案内されて板状部材差込み部１３に挿入される。その後、板状部材差込み部１３を通じてハウジング１１に差し込まれていくフレキシブル印刷配線基板２０は、その姿勢に応じて、ハウジング１１の底面部１１ｃ側の面が、突出案内部１６Ａ及び１６Ｂが有する曲面もしくは傾斜平面を成す端面部１６ａ及び１６ｂに接触する状態をもって、ハウジング１１内の所定の位置まで差し込まれる。
【００４４】
斯かる際、図９に示されるように、フレキシブル印刷配線基板２０が、ハウジング１１が取り付けられた配線基板１２におけるハウジング１１の底板部１１ｃの外面が対接する面１２ａに対して傾斜した状態をもって、板状部材差込み部１３に挿入されようとする場合においても、フレキシブル印刷配線基板２０における平板状部２３の接触端子配列方向に伸びる端縁部分が、複数の第１のコンタクト１４が夫々有する複数の基板接続部１４ａに当接することなく、ハウジング１１の底板部１１ｃから板状部材差込み部１３が設けられたハウジングの正面側端部１１ａの外方に第１のコンタクト１４が有する基板接続部１４ａを越えて突出する複数の突出案内部１６Ａ及び１６Ｂが夫々有する端面部１６ａ及び１６ｂに当接し、端面部１６ａ及び１６ｂの各々が成す曲面もしくは傾斜平面によって板状部材差込み部１３へと案内され、それにより、フレキシブル印刷配線基板２０における平板状部２３が板状部材差込み部１３に挿入される。
【００４５】
そして、板状部材差込み部１３を通じてハウジング１１に差し込まれたフレキシブル印刷配線基板２０が、ハウジング１１の内部の板状部材収容空間における所定の位置に到達すると、ハウジング１１に交互に配列配置された複数の第１のコンタクト１４及び複数の第２のコンタクト１５が、フレキシブル印刷配線基板２０における複数の第１の接触端子部２１及び複数の第２の接触端子部２２に夫々接触接続される状態がとられる。それにより、フレキシブル印刷配線基板２０における複数の第１の接触端子部２１及び複数の第２の接触端子部２２が、複数の第１のコンタクト１４及び複数の第２のコンタクト１５を介して、ハウジング１１が底板部１１ｃの外面を対接させて取り付けられた配線基板１２に電気的に連結される。
【００４６】
上述のようなコネクタ装置１０においては、ハウジング１１の底板部１１ｃに、それから、ハウジング１１における板状部材差込み部１３が設けられた正面側端部１１ａの外方に、複数の第１のコンタクト１４が夫々有する複数の基板接続部１４ａを越えて突出して、板状部材差込み部１３を通じてハウジング１１に差し込まれることになるフレキシブル印刷配線基板２０を、曲面もしくは傾斜平面を成す端面部１６ａ及び１６ｂをもって、板状部材差込み部１３へと案内する複数の突出案内部１６Ａ及び１６Ｂが設けられていて、フレキシブル印刷配線基板２０が、ハウジング１１にその正面側端部１１ａに設けられた板状部材差込み部１３を通じて差し込まれるべく、板状部材差込み部１３に近接せしめられるとき、複数の突出案内部１６Ａ及び１６Ｂにおける端面部１６ａ及び１６ｂに当接し、それらの端面部１６ａ及び１６ｂの夫々が成す曲面もしくは傾斜平面によって板状部材差込み部１３へと案内されて板状部材差込み部１３に挿入される。それにより、板状部材差込み部１３を通じてハウジング１１に差し込まれるフレキシブル印刷配線基板２０が、複数の第１のコンタクト１４の夫々が備える基板接続部１４ａに対して摺動することに起因する損傷を受ける事態の発生が回避されることになる。
【００４７】
また、コネクタ装置１０によれば、フレキシブル印刷配線基板２０が、ハウジング１１が取り付けられた配線基板１２におけるハウジング１１の底板部１１ｃの外面が対接する面１２ａに対して傾斜した状態をもって板状部材差込み部１３に挿入されようとする場合も含めて、第１のコンタクト１４が有する基板接続部１４ａに当接することなく、突出案内部１６Ａ及び１６Ｂが夫々有する端面部１６ａ及び１６ｂに当接して板状部材差込み部１３へと案内されるので、フレキシブル印刷配線基板２０のハウジング１１における板状部材差込み部１３への挿入が、複数の第１のコンタクト１４の夫々が備える基板接続部１４ａによって阻止されることなく、かつ、妨害を受けることなく円滑に行われる。
【００４８】
取り分け、ハウジング１１の底板部１１ｃから突出する複数の突出案内部１６Ａ及び１６Ｂのうちの複数の突出案内部１６Ａが、第１のコンタクト１４が有する基板接続部１４ａを挟んで対向する対を複数個含むものとされ、また、複数の突出案内部１６Ａ及び１６Ｂのうちの一対の突出案内部１６Ｂが、ハウジング１１におけるコンタクト配列方向の両端部に位置するものとされていることにより、突出案内部１６Ａ及び１６Ｂが夫々有する曲面もしくは傾斜平面を成す端面部１６ａ及び１６ｂによるフレキシブル印刷配線基板２０の板状部材差込み部１３への案内が、より一層確実かつ円滑に行われる。
【００４９】
さらに、突出案内部１６Ａ及び１６Ｂが夫々有する端面部１６ａ及び１６ｂが、ハウジング１１が取り付けられた配線基板１２におけるハウジング１１の底板部１１ｃの外面が対接する面１２ａもしくはその近傍からハウジング１１における板状部材差込み部１３に至る案内路を形成するものとされているので、フレキシブル印刷配線基板２０におけるハウジング１１への差込み方向の先端部分が、配線基板１２の面１２ａに近接した位置において板状部材差込み部１３に近接せしめられる場合においても、突出案内部１６Ａ及び１６Ｂが夫々有する端面部１６ａ及び１６ｂによるフレキシブル印刷配線基板２０の板状部材差込み部１３への案内が円滑に行われる。
【００５０】
上述のコネクタ装置１０は、複数の突出案内部１６Ａと一対の突出案内部１６Ｂとを備えているが、斯かるコネクタ装置１０を、複数の突出案内部１６Ａは備えるが一対の突出案内部１６Ｂは備えないものに変形させて、本発明に係るコネクタ装置を成すものとすることも可能である。さらに、上述のコネクタ装置１０にあっては、複数の突出案内部１６Ａが、第１のコンタクト１４が有する基板接続部１４ａを挟んで対向する対を複数個含むものとされているが、複数の突出案内部１６Ａは、複数個の第１のコンタクト１４が夫々有する複数個の基板接続部１４ａを挟んで対向する対を含むものとされてもよい。即ち、複数の突出案内部１６Ａは、複数個の第１のコンタクト１４が夫々有する複数個の基板接続部１４ａの夫々もしくはそれらのうちの少なくとも１個を挟んで対向する対を含むものとされ得ることになる。
【実施例２】
【００５１】
図１０及び図１１は、本発明に係るコネクタ装置の他の例を示す。
【００５２】
図１０（上面側から見た斜視図）及び  図１１（底面側から見た斜視図）に示される本発明に係るコネクタ装置の他の例を成すコネクタ装置４０は、上述の本発明に係るコネクタ装置の一例を成すコネクタ装置１０と同様に構成された部分を多々備えており、斯かる部分については、図１０及び図１1 においてコネクタ装置１０における対応する部分と共通の符号を付して示し、それらについての重複説明は省略する。
【００５３】
図１０及び図１１において、本発明に係るコネクタ装置の他の例を成すコネクタ装置４０は、そのハウジング１１に、前述のコネクタ装置１０のハウジング１１の場合と同様の態様をもって、各々が基板接続部１４ａを有する複数の第１のコンタクト１４と各々が基板接続部１５ａを有する複数の第２のコンタクト１５とが、ハウジング１１の長手方向（正面側端部１１ａに向かって左右方向）に沿って交互に配列配置されて設けられている。ハウジング１１は、その底板部１１ｃの外面を配線基板の面に対接させたもとで、その配線基板に取り付けられる。
【００５４】
そして、コネクタ装置４０におけるハウジング１１の底板部１１ｃには、それから、ハウジング１１の正面側端部１１ａの外方に、複数の第１のコンタクト１４が夫々有する複数の基板接続部１４ａを越えて突出する３個の突出案内部３５が設けられている。これら３個の突出案内部３５は、そのうちの２個が、ハウジング１１における複数の第１のコンタクト１４及び複数の第２のコンタクト１５の配列方向、即ち、コンタクト配列方向の両端部に位置するものとして配されており、また、３個の突出案内部３５のうちの残りの１個は、ハウジング１１におけるコンタクト配列方向の両端部の中間部に配されている。
【００５５】
３個の突出案内部３５の各々は、ハウジング１１の正面側端部１１ａに設けられた板状部材差込み部１３を通じてハウジング１１に差し込まれることになる、例えば、フレキシブル印刷配線基板とされる配線板状部材を板状部材差込み部１３へと案内する役割を果たす。斯かる３個の突出案内部３５の各々による配線板状部材の板状部材差込み部１３への案内は、３個の突出案内部３５の夫々が有するコンタクト配列方向の幅を持った端面部３５ａによって行われる。３個の突出案内部３５の夫々の端面部３５ａは、曲面もしくは傾斜平面を成していて、ハウジング１１の底面部１１ｃの外面が対接せしめられた配線基板の面もしくはその近傍からハウジング１１における板状部材差込み部１３に至る案内路を形成するものとされている。
【００５６】
このようなもとで、例えば、フレキシブル印刷配線基板とされる配線板状部材が、ハウジング１１にその正面側端部１１ａに設けられた板状部材差込み部１３を通じて差し込まれるべく、そのハウジング１１への差込み方向の先端部分が板状部材差込み部１３に近接せしめられたとき、当該配線板状部材の先端部分が、ハウジング１１の底板部１１ｃから板状部材差込み部１３が設けられたハウジング１１の正面側端部１１ａの外方に第１のコンタクト１４が有する基板接続部１４ａを越えて突出する３個の突出案内部３５の夫々が有する端面部３５ａに当接し、その端面部３５ａが成す曲面もしくは傾斜平面によって板状部材差込み部１３へと案内されて板状部材差込み部１３に挿入される。その後、板状部材差込み部１３を通じてハウジング１１に差し込まれていく配線板状部材は、その姿勢に応じて、ハウジング１１の底面部１１ｃ側の面が、突出案内部３５が有する曲面もしくは傾斜平面を成す端面部３５ａに接触する状態をもって、ハウジング１１内の所定の位置まで差し込まれる。
【００５７】
斯かる際、配線板状部材が、ハウジング１１が取り付けられた配線基板におけるハウジング１１の底板部１１ｃの外面が対接する面に対して傾斜した状態をもって、板状部材差込み部１３に挿入されようとする場合においても、配線板状部材におけるハウジング１１への差込み方向の先端部分が、複数の第１のコンタクト１４が夫々有する複数の基板接続部１４ａに当接することなく、ハウジング１１の底板部１１ｃから板状部材差込み部１３が設けられたハウジング１１の正面側端部１１ａの外方に第１のコンタクト１４が有する基板接続部１４ａを越えて突出する３個の突出案内部３５が夫々有する端面部３５ａに当接し、端面部３５ａが成す曲面もしくは傾斜平面によって板状部材差込み部１３へと案内され、それにより、配線板状部材における先端部分が板状部材差込み部１３に挿入される。
【００５８】
そして、板状部材差込み部１３を通じてハウジング１１に差し込まれた配線板状部材が、ハウジング１１の内部の板状部材収容空間における所定の位置に到達すると、ハウジング１１に交互に配列配置された複数の第１のコンタクト１４及び複数の第２のコンタクト１５が、配線板状部材における複数の接触端子部に接触接続される状態がとられる。それにより、配線板状部材における複数の接触端子部が、複数の第１のコンタクト１４及び複数の第２のコンタクト１５を介して、ハウジング１１が底板部１１ｃの外面を対接させて取り付けられた配線基板に電気的に連結される。
【００５９】
上述のような３個の突出案内部３５を備えたコネクタ装置４０によっても、前述の複数の突出案内部１６Ａ及び１６Ｂを備えたコネクタ装置１０によって得られる作用効果と同様な作用効果が得られる。
【産業上の利用可能性】
【００６０】
以上のような本発明に係るコネクタ装置は、ハウジングにおける一対の相互対向側端部の一方に、配線板状部材が差し込まれる板状部材差込み部が形成され、ハウジングに、複数の第１のコンタクトと複数の第２のコンタクトとが、ハウジングに対する配線板状部材の差込み方向に直交する方向をもって交互に配列配置されて、複数の第１のコンタクトの夫々が備える基板接続部が、ハウジングにおける一対の相互対向側端部の一方側に配されて板状部材差込み部に臨む位置におかれるとともに、複数の第２のコンタクトの夫々が備える基板接続部がハウジングにおける一対の相互対向側端部の他方側に配されるもとにおいて、板状部材差込み部を通じてハウジングに差し込まれた配線板状部材が、複数の第１のコンタクトの夫々が備える基板接続部に対して摺動することに起因する損傷を受ける事態が回避され、さらには、配線板状部材のハウジングにおける板状部材差込み部への挿入が、複数の第１のコンタクトの夫々が備える基板接続部によって阻止されることなく、かつ、妨害を受けることなく円滑に行われることになるものとして、様々な電子機器等に広く適用され得るものである。
【符号の説明】
【００６１】
１０，４０・・・コネクタ装置，  １１・・・ハウジング，  １１ａ・・・正面側端部，  １１ｂ・・・背面側端部，  １１ｃ・・・底板部，  １１ｄ・・・天板部，  １２・・・配線基板，  １２ａ・・・（配線基板１２の）面，  １３・・・板状部材差込み部，  １４・・・第１のコンタクト，  １４ａ，１５ａ・・・基板接続部，  １５・・・第２のコンタクト，  １６Ａ，１６Ｂ，３５・・・突出案内部，  １６ａ，１６ｂ，３５ａ・・・端面部，  ２０・・・フレキシブル印刷配線基板，  ２１・・・第１の接触端子部，  ２２・・・第２の接触端子部，  ２３・・・平板状部，  ２５，２９・・・固定部，  ２６，３０・・・可動片持ちビーム部，  ２８，３２・・・接点部
【図１】
2014072124.tif 000003
【図２】
2014072124.tif 000004
【図３】
2014072124.tif 000005
【図４】
2014072124.tif 000006
【図５】
2014072124.tif 000007
【図６】
2014072124.tif 000008
【図７】
2014072124.tif 000009
【図８】
2014072124.tif 000010
【図９】
2014072124.tif 000011
【図１０】
2014072124.tif 000012
【図１１】
2014072124.tif 000013